(57)【要約】【課題】髪の毛の通りをよくしてよくとかす。【解決手段】【請求項５】ヘア用ブラシは、本体１０ｂと、本体１０ｂから外方に向けて伸びる棒状の複数のブラッシングピン１０ｃと、を含む。ブラッシングピン１０ｃは、本体１０ｂの軸方向に複数の列として配列されており、少なくとも２つの列において、その列に含まれるブラッシングピン１０ｃ同士の間隔が異なる。【選択図】図１
2018110748.tif 000002
【特許請求の範囲】
【請求項１】
本体と、
本体から外方に向けて伸びる棒状の複数のブラッシングピンと、
を含み、
ブラッシングピンは、本体の軸方向に複数の列として配列されており、少なくとも２つの列において、１つの列に含まれるブラッシングピン同士の間隙の大きさと他の列に含まれるブラッシングピン同士の間隙の大きさが異なる、
ヘア用ブラシ。
【請求項２】
請求項１に記載のヘア用ブラシであって、
各列のブラッシングピンの太さは同一であり、隣接する列におけるブラッシングピンの配置間隔が異なることで、隣接する１つの列と他の列におけるブラッシングピンの間隙の大きさが異なる、
ヘア用ブラシ。
【請求項３】
請求項２に記載のヘア用ブラシであって、
本体は、円筒状であり、
ブラッシングピンは、本体から放射方向に伸びている、
ヘア用ブラシ。
【請求項４】
請求項１に記載のヘア用ブラシであって、
１つの列におけるブラッシングピンの太さは同一であり、隣接する列におけるブラッシングピンの太さが異なることで、隣接する１つの列と他の列におけるブラッシングピンの間隙の大きさが異なる、
ヘア用ブラシ。
【請求項５】
請求項４に記載のヘア用ブラシであって、
本体は、筒状であり、
ブラッシングピンは、本体の一面から外方に向けて伸びている、
ヘア用ブラシ。
【発明の詳細な説明】
【技術分野】
【０００１】
本発明は、髪の毛をとかすヘア用ブラシに関する。
【背景技術】
【０００２】
従来、ヘアブラシとして各種のものが知られており、天然毛やプラスチック毛などのブラッシングピンを有するものがある。
【０００３】
また、ヘアドライヤや、ヘアアイロンにおいても、ブラッシングピンを備え、ブラシとして機能するものもある。
【０００４】
特許文献１では、ヘアドライヤ用のブラシにおいて、ブラッシングピンの根元側表面に段差をつけることで、風の通りをよくすることが提案されている。
【先行技術文献】
【特許文献】
【０００５】
【特許文献１】特開平１０−１７９２３８号公報
【発明の概要】
【発明が解決しようとする課題】
【０００６】
髪の毛用のブラシにおいては、髪をとかした場合に、髪を痛めずに通りよくブラッシングしたいという要求がある。
【０００７】
また、ヘアドライヤや、ヘアアイロン用のブラシにおいては、髪の毛のブラッシングがうまく行えないと、所望の乾燥や加熱が行えずヘアを痛めてしまうおそれもあるので、髪の毛に対する通りがよいことが要求される。
【課題を解決するための手段】
【０００８】
本発明に係るヘア用ブラシは、本体と、本体から外方に向けて伸びる棒状の複数のブラッシングピンと、を含み、ブラッシングピンは、本体の軸方向に複数の列として配列されており、少なくとも２つの列において、１つの列に含まれるブラッシングピン同士の間隙の大きさと他の列に含まれるブラッシングピン同士の間隙の大きさが異なる。
【０００９】
また、各列のブラッシングピンの太さは同一であり、隣接する列におけるブラッシングピンの配置間隔が異なることで、隣接する１つの列と他の列におけるブラッシングピンの間隙の大きさが異なるとよい。
【００１０】
また、本体は、円筒状であり、ブラッシングピンは、本体から放射方向に伸びているとよい。
【００１１】
また、１つの列におけるブラッシングピンの太さは同一であり、隣接する列におけるブラッシングピンの太さが異なることで、隣接する１つの列と他の列におけるブラッシングピンの間隙の大きさが異なるとよい。
【００１２】
また、本体は、筒状であり、ブラッシングピンは、本体の一面から外方に向けて伸びているとよい。
【発明の効果】
【００１３】
本発明によれば、異なる太さのブラッシングピンの列を有することで、髪の毛の通りをよくして、十分に髪をとかすことができる。
【図面の簡単な説明】
【００１４】
【図１】アイロンブラシの全体構成を示す図である。
【図２】ブローブラシの全体構成を示す図である。
【図３】アイロンブラシのブラッシングピンを示す図である。
【図４】ブローブラシのブラッシングピンを示す図である。
【図５】アイロンブラシとブローブラシを交換可能とする構成を示す図である。
【発明を実施するための形態】
【００１５】
以下、本発明の実施形態について、図面に基づいて説明する。なお、本発明は、ここに記載される実施形態に限定されるものではない。
【００１６】
「アイロンブラシの全体構成」
図１は、ヘアアイロン用のヘア用ブラシであるアイロンブラシ１０の外観を示す図である。アイロンブラシ１０は、下方の基部１０ａが加熱用電気回路などを内蔵しユーザが把持する把持（ハンドル）部に接続される。
【００１７】
アイロンブラシ１０の基部１０ａ上には、円筒状の本体１０ｂが一体的に設けられており、本体１０ｂの外周面には、外方に向けて放射方向に伸びる棒状のブラッシングピン１０ｃが設けられる。なお、本体１０ｂは中空円筒状であり、その内部にヒータが収容されている。そこで、ヒータからの熱によって本体１０ｂが加熱され、その外周面に接触または近接された髪の毛が加熱され、カール等のアイロン掛け効果が得られる。なお、ヒータへの電力は、下方の把持部から供給される。
【００１８】
「ブローブラシの全体構成」
また、ヘアドライヤ用のヘア用ブラシであるブローブラシ２０は、円筒状の基部２０ａを有し、ここに送風機能を有する把持部が接続される。
【００１９】
ブローブラシ２０の基部２０ａ上には、断面かまぼこ状の扁平な中空筒からなる本体２０ｂが一体的に設けられており、本体２０ｂの曲面側の一面には、外方に向けて伸びる棒状のブラッシングピン２０ｃが設けられる。また、ブラッシングピン２０ｃの間には、複数の空気噴出口２０ｄが設けられ、ここから把持部から供給される空気（温風または冷風）が吹き出される。これによって、ブラッシングピン２０ｃの間の空気噴出口２０ｄから空気を吹き出しながら、ブラッシングピン２０ｃで髪の毛をとかしながら乾かすヘアドライヤとして機能する。
【００２０】
「アイロンブラシのブラッシングピン」
図３には、アイロンブラシ１０のブラッシングピン１０ｃ（１０ｃ−１，１０ｃ−２）の構成が示されている。（Ａ）が軸方向からみた図、（Ｂ）がピン間隔が狭いブラッシングピン１０ｃ−１、（Ｃ）がピン間隔が広いブラッシングピン１０ｃ−２の軸方向の配置状態を示した図である。ブラッシングピン１０ｃ−１と１０ｃ−２は、本体１０ｂから外方に向けて放射方向に伸びている。この例では、４列のブラッシングピン１０ｃ−１と４列のブラッシングピン１０ｃ−２が、周方向４５°おきに配置されている。すなわち、１８本のブラッシングピン１０ｃ−１が軸方向に等間隔で配置された列と、１２本のブラッシングピン１０ｃ−２が軸方向に等間隔で配置された列が交互に８列、周方向に等間隔に配列されている。そして、各列のブラッシングピン１０ｃ−１，１０ｃ−２の軸方向の配置範囲は同じなので、ブラッシングピン１０ｃ−１，１０ｃ−２のピンの軸方向の間隔が異なる２種類とされ、周方向に隣接する列の軸方向のピンの間隔が異なっている。すなわち、この例では、０°，９０°，１８０°，２７０°の列のブラッシングピン１０ｃ−１が１８本のピン、４５°，１３５°，２２５°，３１５°の位置のブラッシングピン１０ｃ−２が１２本のピンで構成されている。このような構成により、１つの列の軸方向の隣接するピン同士の間隙の大きさと、隣接する他の列における軸方向に隣接するピン同士の間隙の大きさが異なっている。
【００２１】
また、４列のブラッシングピン１０ｃ−１は１８本であり、４列のブラッシングピン１０ｃ−２は１２本である、この例では、ブラッシングピン１０ｃ−１，１０ｃ−２の軸方向の両端部分で長さが若干短くなっているが、周方向では同一長さになっている。すなわち、各列のブラッシングピン１０ｃ−１，１０ｃ−２の両端のブラッシングピン１０ｃ−１，１０ｃ−２が一番短く、１つ内側のブラッシングピン１０ｃ−１，１０ｃ−２がその次に短く、後は同じ長さである。
【００２２】
このように、ブラッシングピン１０ｃ−１，１０ｃ−２の軸方向の配置間隔が円周方向の隣接列同士で異なることで、髪の毛をとかした場合に、髪の毛へのブラッシングピン１０ｃ−１，１０ｃ−２の通りがよく、さらに髪の毛をよくとかすことができる。ピン間隔の狭いブラッシングピン１０ｃ−１だけであると、通りが十分よくない場合もあり、ピン間隔の広いブラッシングピン１０ｃ−２だけであると、髪の毛を十分とかすことができない場合もあるが、両者が組み合わされることで、通りがよく、かつ十分にとかすことができる。
【００２３】
特に、本体１０ｂは、内部のヒータによって加熱され、ここに接触される髪の毛は加熱される。そこで、ブラッシングピン１０ｃ−１，１０ｃ−２の通りが悪いと、必要以上に加熱されてしまうおそれもある。本実施形態のアイロンブラシ１０によれば、ピン間隔の狭いブラッシングピン１０ｃ−１があることで十分に髪をとかすこともでき、またピン間隔の広いブラッシングピン１０ｃ−２によって髪通りをよくすることができる。本体１０ｂを回転させることで、髪に当てるブラッシングピン１０ｃ−１，１０ｃ−２の列を変更することも可能であり、適切なブラッシング、アイロン掛けを行うことができる。
【００２４】
「ブローブラシのブラッシングピン」
図４には、ブローブラシ２０のブラッシングピン２０ｃの構成が示されている。（Ａ）が軸方向の断面図、（Ｂ）が太いブラッシングピンを配置した（ピン間隔が狭い）例、（Ｃ）が細いブラッシングピンを配置した（ピン間隔が広い）例を示す図である。ブラッシングピン２０ｃは、本体２０ｂの表面（一面）側から外方に向けて伸びている。この例では、表面は、軸方向の中央部が凸状に膨らんでおり、ブラッシングピン２０ｃは、表面に対しほぼ直角方向に伸びているため、軸に直交する断面でみると中央部のブラッシングピン２０ｃは、まっすぐ上方に伸び、左右両端に向けて先端が側方に向いている。
【００２５】
そして、７列のブラッシングピン２０ｃが、周方向に一定間隔で配列されている。１列は１７本のブラッシングピン２０ｃから構成されている。そして、このブラッシングピン２０ｃの周方向に隣接するもの同士の太さが異なっている。すなわち、この例では、ブラッシングピン２０ｃの直径が、軸に直交する方向において、一方側から、１．１ｍｍ，１．３ｍｍ，１．１ｍｍ，１．０ｍｍ，１．１ｍｍ，１．３ｍｍ，１．１ｍｍとなっている。すなわち、隣接するブラッシングピン２０ｃ同士の直径が異なっている。そして、中央のブラッシングピン２０ｃが最も細く、その両側が細いもの、次が太いもの、そして両側の端が細いものになっている。なお、ブラッシングピン２０ｃについても、±０．２ｍｍ程度の変更が可能であるが、太さは隣接する列で異なり、太さの順番は上述のものがよい。
【００２６】
そして、このような構成により、１つの列の軸方向の隣接するピン同士の間隙の大きさと、隣接する他の列における軸方向に隣接するピン同士の間隙の大きさが異なっている。
【００２７】
また、ブラッシングピン２０ｃは、本体２０ｂの軸方向に直線状に伸びており、従って７列のブラッシングピン２０ｃの各列のブラッシングピン２０ｃが同一直径となっている。さらに、この例では、すべてのブラッシングピン２０ｃの長さが同じになっている。
【００２８】
このように、ブラッシングピン２０ｃの直径が周方向の隣接列同士で異なることで、髪の毛をとかした場合に、髪の毛へのブラッシングピン２０ｃの通りがよく、さらに髪の毛をよくとかすことができる。
【００２９】
また、本体２０ｂの内部は空洞となっており、ブラッシングピン２０ｃの軸方向の列の間には、空気噴出口２０ｄの列が配置されている。すなわち、６列の空気噴出口２０ｄの列が設けられている。そして、把持部から送られて来る温風または冷風は、空気噴出口２０ｄから吹き出される。そこで、髪の毛を乾燥させながら、髪の毛をとくことができる。
【００３０】
特に、髪の毛の通り易い細いブラッシングピン２０ｃと髪の毛をとかす効果の高い太いブラッシングピン２０ｃがあることで、風を送りながら、髪をとかす場合において、ブローブラシ２０の角度を変えたりして、髪の毛の通りをよくしながら、十分な乾燥が行える。
【００３１】
「把持部の構成」
アイロンブラシ１０、ブローブラシ２０はそれぞれ専用の把持部を備えてもよいが、共通の把持部を用意して、この把持部に交換可能に取り付けて利用することもできる。
【００３２】
図５に、アイロンブラシ１０、ブローブラシ２０を把持部５０に交換可能に取り付ける構成を示す。このように、把持部５０の上端部に、アイロンブラシ１０およびブローブラシ２０が係合固定可能であり、ヘアアイロンとして使用する場合にアイロンブラシ１０を固定し、ヘアドライヤとして使用する場合にブローブラシ２０を固定する。
【００３３】
把持部５０は、把持部ケーシング５０ａと、キャップ５０ｂを有し、内部に電源回路、切替スイッチ、電圧調整回路、ファン、ドライヤヒータなどが内蔵され、ファンの駆動によって、把持部５０の底面に設けられた吸気口から取り込んだ空気をキャップ５０ｂの上面に形成された吹き出し口から吹き出す。
【００３４】
把持部ケーシング５０ａと、キャップ５０ｂとは、ねじ止めなどの適宜手段で固定されており、修理などの際にキャップ５０ｂが取り外される。
【００３５】
キャップ５０ｂの上端部には把持部側コネクタ４０ａが形成されている。図において、模式的に示してあるが、実際には上方のみが吹き出し口の周辺部において露出するようになっている。
【００３６】
アイロンブラシ１０の下部の内側にアイロン側コネクタ４０ｂを有し、アイロンブラシ１０が、把持部５０のキャップ５０ｂに係合されたときに、アイロン側コネクタ４０ｂと、把持部側コネクタ４０ａが接触し、電気的に導通する。図においては、アイロン側コネクタ４０ｂを見えるように記載したが実際には、下方から見た場合に見える位置に設けられる。なお、把持部側コネクタ４０ａ、アイロン側コネクタ４０ｂについては、このような構成に限らず、各種の公知の構成を採ることができる。
【００３７】
アイロンブラシ１０は、全体として円筒状で、下方の基部１０ａが把持部５０のキャップ５０ｂに覆い被さるようにして装着される。両者の固定には、ねじ機構など各種のロック機構を採用することができる。
【００３８】
アイロンブラシ１０は、その内部にヒータを有しており、把持部５０に装着された場合には、ヒータが把持部５０側から供給される電力によって加熱され、ヘアアイロンとして機能する。
【００３９】
また、ブローブラシ２０は、アイロンブラシ１０と同様の基部２０ａを有し、ここが把持部５０のキャップ５０ｂにロックされる。ブローブラシ２０は、下方の基部２０ａが把持部５０のキャップ５０ｂに覆い被さるようにして装着される。
【００４０】
把持部５０にブローブラシ２０が装着された場合には、把持部５０から送られて来る温風、冷風がブローブラシ２０の空気噴出口２０ｄから噴出され、ヘアドライヤとして機能する。もちろん、ブローブラシ２０を単なるヘアブラシとして利用することもできる。
【００４１】
「その他」
上述の例では、ヘアアイロンのアイロンブラシ、ヘアドライヤのブローブラシとしたが、通常のブラシにおいても、上述のようなブラッシングピンを使用することが可能である。
【符号の説明】
【００４２】
１０  アイロンブラシ、１０ａ  基部、１０ｂ  本体、１０ｃ  ブラッシングピン、２０  ブローブラシ、２０ａ  基部、２０ｂ  本体、２０ｃ  ブラッシングピン、２０ｄ  空気噴出口、４０ａ  把持部側コネクタ、４０ｂ  アイロン側コネクタ、５０  把持部、５０ａ  把持部ケーシング、５０ｂ  キャップ。
【図１】
2018110748.tif 000003
【図２】
2018110748.tif 000004
【図３】
2018110748.tif 000005
【図４】
2018110748.tif 000006
【図５】
2018110748.tif 000007